(57)【要約】【課題】アンテナの故障診断を行い得る受信システムを提供すること。【解決手段】統合受信システム１は、テストモード（故障診断モード）のときテストデータ送信部２５からテストデータＳ８が出力され、送信アンテナ１５からこのテストデータＳ８が送信される。これを受信アンテナ１１〜１３で受信する。テストデータ確認部２１０は、テストデータＳ８に関する受信信号からどの受信アンテナ１１〜１３が故障しているかを判断する。【選択図】図１
2007288257.tif 000002
【特許請求の範囲】
【請求項１】
複数の受信アンテナにより受信した異なる種類の放送受信コンテンツの信号を多重化しシリアル信号として出力する統合チューナユニットと、
前記シリアル信号が入力され、復調指示に基づいて前記各放送受信コンテンツの信号を復調して出力する統合復調ユニットと、
テストデータを送信アンテナより送信するテストデータ送信部とを備え、
前記統合チューナユニットには前記送信アンテナから送信されて前記受信アンテナで受信した前記テストデータに関する受信信号に基づいて前記各受信アンテナの故障を診断する故障診断部を備えることを特徴とする受信システム。
【請求項２】
前記故障診断部は前記各受信アンテナからの前記テストデータに関する受信信号のレベルと当該受信信号の基準レベルとを比較し、前記受信信号のレベルが前記基準レベルより低いときは当該受信信号を受信した前記受信アンテナが故障したと判断する、ことを特徴とする請求項１記載の受信システム。
【請求項３】
前記故障診断部には、前記各受信アンテナで受信した前記テストデータに関する受信信号のうちいずれか一つを選択するよう切り替える受信信号切替部と、
前記受信信号切替部からの前記受信信号のレベルと当該受信信号の基準レベルとを比較し、前記受信信号のレベルが前記基準レベルより低いときは当該受信信号を受信した前記受信アンテナが故障したと判断する比較部と、を備えることを特徴とする請求項２記載の受信システム。
【請求項４】
前記故障診断部は、前記各受信アンテナから前記テストデータに関する受信信号が出力される各信号線に平行して各々配置され、
前記各故障診断部には前記受信アンテナからの前記受信信号のレベルと当該受信信号の前記基準レベルとを比較して、前記受信信号のレベルが前記基準レベルより低いときは当該受信信号を受信した前記受信アンテナが故障したと判断する比較部を備えることを特徴とする請求項２記載の受信システム。  
【請求項５】
複数の受信アンテナにより受信した異なる種類の放送受信コンテンツの信号を多重化しシリアル信号として出力する統合チューナユニットと、
前記シリアル信号が入力され、復調指示に基づいて前記各放送受信コンテンツの信号を復調して出力する統合復調ユニットと、
テストデータを出力するテストデータ送信部とを備え、
前記統合チューナモジュールには前記受信アンテナで受信した前記テストデータに関する受信信号に基づいて前記各受信アンテナの故障を診断する故障診断部を備え、
前記複数の受信アンテナのうち少なくとも一つは前記テストデータを送信する送信アンテナとして兼用することを特徴とする受信システム。
【発明の詳細な説明】
【技術分野】
【０００１】
本発明は、アンテナの故障診断を行い得る受信システムに関する。
【背景技術】
【０００２】
従来から、複数の放送メディアを受信することのできる受信装置がある。
【０００３】
例えば、デジタル放送とＡＭ放送やＦＭ放送のアナログ放送とを受信することのできる放送受信機が開示されている（例えば、以下の特許文献１）。
【０００４】
また、単一のアナログ・デジタル変換器を使用して複数局同時受信を可能にした受信器（例えば、以下の特許文献２）や、同様に単一のアナログ・デジタル変換器により異なる周波数帯域の複製を可能にした受信機システム（例えば、以下の特許文献３）なども開示されている。
【特許文献１】特開２０００−３２４００３号公報
【特許文献２】特開平５−１８３４５９号公報
【特許文献３】特開２００２−２６７５８号公報
【発明の開示】
【発明が解決しようとする課題】
【０００５】
しかしながら、例えば、このような受信装置が車両に搭載されている場合にアンテナが故障すると、ユーザはディーラーやメーカーなどに車両を持っていき、受信装置を取り外す等して故障の診断を行わなければならず、ユーザにとって大変面倒であった。
【０００６】
また、車両がトンネル等の受信状況のよくない場所に移動したとき、実際にアンテナが故障しているのか否かの判断はユーザにとって大変困難なことである。
【０００７】
そこで、本発明は上記問題点に鑑みてなされたものでその目的は、アンテナの故障診断を行い得る受信システムを提供することにある。
【課題を解決するための手段】
【０００８】
上記目的を達成するために本発明は、受信システムにおいて、複数の受信アンテナにより受信した異なる種類の放送受信コンテンツの信号を多重化しシリアル信号として出力する統合チューナユニットと、前記シリアル信号が入力され、復調指示に基づいて前記各放送受信コンテンツの信号を復調して出力する統合復調ユニットと、テストデータを送信アンテナより送信するテストデータ送信部とを備え、前記統合チューナユニットには前記送信アンテナから送信されて前記受信アンテナで受信した前記テストデータに関する受信信号に基づいて前記各受信アンテナの故障を診断する故障診断部を備えることを特徴とする。
【０００９】
また、本発明は前記受信システムにおいて、前記故障診断部は前記各受信アンテナからの前記テストデータに関する受信信号のレベルと当該受信信号の基準レベルとを比較し、前記受信信号のレベルが前記基準レベルより低いときは当該受信信号を受信した前記受信アンテナが故障したと判断することを特徴とする。
【００１０】
更に、本発明は前記受信システムにおいて、前記故障診断部には、前記各受信アンテナで受信した前記テストデータに関する受信信号のうちいずれか一つを選択するよう切り替える受信信号切替部と、前記受信信号切替部からの前記受信信号のレベルと当該受信信号の基準レベルとを比較し前記受信信号のレベルが前記基準レベルより低いときは当該受信信号を受信した前記受信アンテナが故障したと判断する比較部とを備えることを特徴とする。
【００１１】
更に、本発明は前記受信システムにおいて、前記故障診断部は、前記各受信アンテナから前記テストデータに関する受信信号が出力される各信号線に平行して各々配置され、前記各故障診断部には前記受信アンテナからの前記受信信号のレベルと当該受信信号の前記基準レベルとを比較して前記受信信号のレベルが前記基準レベルより低いときは当該受信信号を受信した前記受信アンテナが故障したと判断する比較部を備えることを特徴とする。
【００１２】
更に、本発明は前記受信システムにおいて、前記基準レベルは前記種類の異なる放送受信コンテンツごとに異なる値であることを特徴とする。
【００１３】
更に、本発明は前記受信システムにおいて、前記故障診断部には、前記受信アンテナが故障したと判断したときその情報を記憶する記憶部を備えることを特徴とする。
【００１４】
また、上記目的を達成するために本発明は、受信システムにおいて、複数の受信アンテナにより受信した異なる種類の放送受信コンテンツの信号を多重化しシリアル信号として出力する統合チューナユニットと、前記シリアル信号が入力され、復調指示に基づいて前記各放送受信コンテンツの信号を復調して出力する統合復調ユニットと、テストデータを出力するテストデータ送信部とを備え、前記統合チューナモジュールには前記受信アンテナで受信した前記テストデータに関する受信信号に基づいて前記各受信アンテナの故障を診断する故障診断部を備え、前記複数の受信アンテナのうち少なくとも一つは前記テストデータを送信する送信アンテナとして兼用することを特徴とする。
【００１５】
また、本発明は前記受信システムにおいて、前記統合チューナモジュールには、更に、前記テストデータ送信部からの前記テストデータが入力され前記複数の受信アンテナのうちいずれか一つの前記受信アンテナに出力するよう前記テストデータを切り替える送信信号切替部を備え、前記送信切替部からの前記テストデータが入力された前記受信アンテナが前記送信アンテナとして兼用されて前記テストデータを送信することを特徴とする。
【発明の効果】
【００１６】
本発明によれば、アンテナの故障を診断することのできる受信システムを提供することができる。
【発明を実施するための最良の形態】
【００１７】
本発明を実施するための最良の形態について、以下図面を参照しながら説明する。図１は、本発明が適用される統合受信システム１の一構成例である。
【００１８】
統合受信システム１は、全体として各受信アンテナ１１〜１３と、送信アンテナ１５と、統合チューナモジュール（統合チューナユニット）２０、及び統合復調モジュール（統合復調ユニット）３０から構成される。
【００１９】
受信アンテナ１１〜１３は、デジタルテレビ（ＤＴＶ）放送を受信するためのＤＴＶ用受信アンテナ１１と、ＡＭ放送を受信するためのＡＭ用受信アンテナ１２と、ＦＭ放送を受信するためのＦＭ用受信アンテナ１３とから構成される。ＤＴＶ、ＡＭ、ＦＭ等、異なる種類の放送受信コンテンツを夫々異なる受信アンテナ１１〜１３で受信する。
【００２０】
統合チューナモジュール２０は各受信アンテナ１１〜１３と接続される。統合チューナモジュール２０は、統合ＲＦ２１と、送信側統合伝送部２２、及びテストデータ送信部２５とを備える。
【００２１】
統合ＲＦ２１は、各受信アンテナ１１〜１３から受信信号Ｓ１〜Ｓ３（アナログのＤＴＶ用ＲＦ信号や、アナログのＡＭ、ＦＭ放送用のＲＦ信号など）が入力され、中間周波数（Intermediate Frequency）信号Ｓ４に変換して出力する。
【００２２】
尚、統合ＲＦ２１内にはテストデータ確認部（故障診断部）２１０を備える。テストデータＳ８に関する受信信号Ｓ１〜Ｓ３から受信アンテナ１１〜１３の故障を診断する。詳細は後述する。
【００２３】
送信側統合伝送部２２は、統合ＲＦ２１と接続され、各中間周波数信号Ｓ４をデジタル信号に変換後多重化し、多重化されたパラレル信号をシリアル信号Ｓ５に変換して出力する。
【００２４】
テストデータ送信部２５は、統合受信システム１がテストモード（故障診断モード）となったときに、テストデータＳ８を出力する。
【００２５】
送信アンテナ１５は、テストデータ送信部２５と接続され、テストデータ送信部２５からのテストデータＳ８を送信する。
【００２６】
統合復調モジュール３０は、受信側統合伝送部３２と統合復調部３３から構成される。
【００２７】
受信側統合伝送部３２は、統合チューナモジュール２０からのシリアル信号Ｓ５に対してパラレル信号Ｓ６に変換して出力する。
【００２８】
統合復調部３３は、受信側統合伝送部３２と接続され、受信側統合伝送部３２からのパラレル信号Ｓ６に対して各コンテンツに対応する信号に分離し復調指示された放送受信コンテンツの信号を復調して出力する。
【００２９】
尚、この復調指示はリモートコントローラや各種ボタン等をユーザが操作することにより行われる。
【００３０】
図２は、テストデータ確認部２１０を含む統合ＲＦ２１の構成例を示す図である。統合ＲＦ２１には、各受信アンテナ１１〜１３からの信号線ごとに高周波増幅部２２１〜２２３と、周波数変換部２３１〜２３３を備え、更にテストデータ確認部２１０を備える。
【００３１】
各高周波増幅部２２１〜２２３は、各受信アンテナ１１〜１３から夫々受信した受信信号Ｓ１〜Ｓ３を増幅して出力する。
【００３２】
各周波数変換部２３１〜２３３は、各々高周波増幅部２２１〜２２３と接続され、増幅された各受信信号Ｓ１〜Ｓ３に対して所定の周波数に変換して中間周波数信号Ｓ４−１〜Ｓ４−３を出力する。
【００３３】
一方、テストデータ確認部２１０は、受信信号切替部２１１と、センサ２１２と、比較器２１３と、基準レベル格納部２１４、及びメモリ２１５を備える。
【００３４】
受信信号切替部２１１は、受信アンテナ１１〜１３で受信した受信信号Ｓ１〜Ｓ３が入力されて、いずれか一つの受信信号を選択して出力する。選択対象の信号は、故障診断対象の受信アンテナ１１〜１３からの受信信号となる。
【００３５】
センサ２１２は、受信信号切替部２１１と接続され、受信信号切替部２１１からの受信信号Ｓ１〜Ｓ３を感知して当該受信信号のレベルに応じた信号を出力する。
【００３６】
基準レベル格納部２１４は、各受信アンテナ１１〜１３で受信した各受信信号Ｓ１〜Ｓ３に対応する基準レベルが格納される。本実施例では、ＤＴＶとＦＭ放送、及びＡＭ放送の３つの信号に対する基準レベルが格納される。基準レベルは種類の異なる放送受信コンテンツごとに異なる値となる。また、基準レベルは受信信号が一定のレベルに達して正常に受信したか否かの閾値となる。
【００３７】
比較器２１３は、センサ２１２と接続されるとともに基準レベル格納部２１４と接続され、センサ２１２からの信号レベルと基準レベル格納部２１４からの基準レベルとを比較し、その結果を出力する。
【００３８】
メモリ２１５は、比較器２１３と接続され、比較器２１３からの比較結果を記憶する。
【００３９】
このように構成された統合受信システム１において、受信アンテナ１１〜１３の故障診断の動作は以下のようにして行われる。
【００４０】
即ち、統合受信システム１はテストモード（故障診断モード）になると、テストデータ送信部２５からテストデータＳ８が出力され、送信アンテナ１５からテストデータＳ８が送信される。
【００４１】
このテストデータＳ８は、受信アンテナ１１〜１３で受信することができる。そして、テストデータＳ８に関する受信信号Ｓ１〜Ｓ３はテストデータ確認部２１０の受信信号切替部２１１に入力される。
【００４２】
受信信号切替部２１１はいずれか一つの受信信号Ｓ１〜Ｓ３を選択する。どの受信アンテナ１１〜１３の故障診断を行うかを選択する。そして、選択された受信信号Ｓ１〜Ｓ３をセンサ２１２で感知し、そのレベルと基準レベル格納部２１４からの対応する基準レベルとを比較器２１３で比較する。
【００４３】
テストデータＳ８に関する受信信号Ｓ１〜Ｓ３のレベルが基準レベルより低いとき、比較器２１３は該当する受信アンテナ１１〜１３が故障していると判断して、故障が発生したことを示す情報をメモリ２１５に出力する。当該情報はメモリ２１５に記憶される。
【００４４】
その後、受信信号切替部２１１により他の受信アンテナ１１〜１３からのテストデータＳ８に関する受信信号Ｓ１〜Ｓ３を選択して処理を繰り返すことで全ての受信アンテナ１１〜１３の故障を診断することができる。
【００４５】
従って、本統合受信システム１では、アンテナ１１〜１３の故障を診断することができる。
【００４６】
尚、メモリ２１５に記憶される際に、時刻やどの受信アンテナ１１〜１３が故障したかを示す情報も記憶しておくこともできる。後でメモリ２１５を読み出すことで、本統合受信システム１の故障に関するログ情報となる。例えば、車両のディーラーが後で確認することもできる。
【００４７】
図２の例では、テストデータ確認部２１０をハードウェアとして構成したが、ソフトウェアとして構成してもよい。例えば、センサ２１２、比較器２１３、基準レベル格納部２１４、メモリ２１５の代わりに、ＡＤ変換部とコントローラとＲＯＭ、ＲＡＭとを備えるように構成する。
【００４８】
受信信号切替部２１１から出力されたテストデータＳ８に関する受信信号Ｓ１〜Ｓ３をＡＤ変換部でデジタル値に変換し、ＲＯＭに格納された基準レベルと比較する。比較はコントローラにて行われる。コントローラは、デジタル値が基準レベルより少ないとき受信アンテナ１１〜１３に故障が発生したと判断してその情報をＲＡＭに格納する。格納された情報は同様にログ情報となり得る。以上の処理を各受信信号Ｓ１〜Ｓ３に対して行うことで、全ての受信アンテナ１１〜１３に対する故障を診断することができる。この場合でも図２に示す例と同様の作用効果を奏する。
【００４９】
上述の例では、受信信号切替部２１１によりいずれか一つの受信信号Ｓ１〜Ｓ３を選択するよう切り替えて受信アンテナ１１〜１３の故障診断を行うようにした。それ以外にも、例えば、信号線ごとに故障診断を行うようにしてもよい。
【００５０】
図３は、そのように構成されたテストデータ確認部２１０の構成例である。各受信アンテナ１１〜１３と各高周波増幅部２２１〜２２３とを結ぶ信号線に平行して各テストデータ確認部２１０−１〜２１０−３がある。
【００５１】
各テストデータ確認部２１０−１〜２１０−０３は、図２に示す例と略同様に、センサ２１２−１〜２１２−３と、比較器２１３−１〜２１３−３と、基準レベル格納部２１４−１〜２１４−３から構成される。
【００５２】
センサ２１２−１〜２１２−３と比較器２１３−１〜２１３−３は、図２に示す例と同様である。但し、基準レベル格納部２１４−１〜２１４−３は、各々受信信号Ｓ１〜Ｓ３に対応する基準レベルが格納される。
【００５３】
比較器２１３−１〜２１３−３によりテストデータＳ８に関する受信信号Ｓ１〜Ｓ３のレベルと基準レベル格納部２１４−１〜２１４−３からの基準レベルとが比較され、受信信号のＳ１〜Ｓ３のレベルが低いと受信アンテナ１１〜１３に故障が発生したと判断してその旨を示す情報がメモリ２１５に記憶される。
【００５４】
本例においても、前述の例と同様に本統合受信システム１は受信アンテナ１１〜１３の故障を診断することができる。更に、図２の例と比較して、テストデータＳ８に関する受信信号Ｓ１〜Ｓ３を切り替える必要がないためその分、速い処理で故障を診断できる。
【００５５】
また、本例においても、前述したように各テストデータ確認部２１０−１〜２１０−３をソフトウェアとして構成することも可能である。この場合でも同様の作用効果を奏する。
【００５６】
上述の例は、いずれもテストデータＳ８を送信するための送信アンテナ１５を使用した例であった。アンテナ数削減のため、受信アンテナ１１〜１３のいずれかをテストデータ送信用の送信アンテナとして兼用することもできる。
【００５７】
図４は、ＦＭ受信用の受信アンテナ１３をテストデータ送信用の送信アンテナと兼用した例である。図１に示す統合受信システム１と同一の構成には同一の番号が付されている。
【００５８】
統合チューナモジュール２０には送信信号切替部２６を備える。送信信号切替部２６はテストデータ送信部２５と接続されると共にＦＭ用受信アンテナ１３にも接続される。送信信号切替部２６は統合受信システム１がテストモード（故障診断モード）のとき、テストデータ送信部２５とＦＭ用受信アンテナ１３とが接続されるように切り替える。
【００５９】
尚、テストモード以外のとき、ＦＭ用受信アンテナ１３と統合ＲＦ２１とが接続されるように送信信号切替部２６は切り替わる。
【００６０】
そして、テストデータ送信部２５は、テストモードのときテストデータＳ８を送信信号切替部２６に出力する。送信信号切替部２６では、テストデータＳ８をＦＭ用受信アンテナ１３に出力するよう切り替える。テストデータＳ８は、ＦＭ用受信アンテナ１３から送信され、ＤＴＶ用受信アンテナ１１とＡＭ用受信アンテナ１２で受信される。そして、上述の例と同様にテストデータ確認部２１０により受信アンテナ１１、１２が故障したか否か判断する。
【００６１】
本例における本統合受信システム１においても、アンテナ１１、１２の故障診断を行い得るとともに、図１等に示す例と比較して送信アンテナ１５がない分、コストを削減することができる。
【００６２】
尚、図４に示す例では、ＦＭ用受信アンテナ１３を送信アンテナとして兼用した例について説明した。勿論、それ以外にもＤＴＶ用の受信アンテナ１１やＡＭ用の受信アンテナ１２を送信アンテナとして兼用してもよい。その場合、受信アンテナ１１、１２と統合ＲＦ２１との間に送信信号切替部２６を設ければよい。動作は、本例と同様である。この場合でも図４に示す例と同様の作用効果を奏する。
【００６３】
更に、受信アンテナ１１〜１３のうちいずれか一つを選択して送信アンテナとして兼用してもよい。図５はその構成例である。統合受信システム１のうち統合チューナモジュール２０を拡大した図である。図１等の統合チューナモジュール２０と同一の構成には同一の番号が付されている。
【００６４】
本例の送信信号切替部２８は、各受信アンテナ１１〜１３と統合ＲＦ２１とを結ぶ信号線上にスイッチを有し、各受信アンテナ１１〜１３とテストデータ送信部２５とを接続するか、各受信アンテナ１１〜１３と統合ＲＦ２１とを接続するかを切り替える。
【００６５】
即ち、各受信アンテナ１１〜１３はテストデータＳ８を送信する送信アンテナとして兼用され、テストモードのとき、いずれか一つの受信アンテナ１１〜１３に対してテストデータＳ８が送信されるように送信信号切替部２８は接続の切り替えを行う。
【００６６】
例えば、ＤＴＶ用受信アンテナ１１を送信アンテナとするときは、テストデータＳ８がＤＴＶ用受信アンテナ１１に出力されるよう送信信号切替部２８が切り替えられる。このとき、２つの受信アンテナ１２、１３が故障診断の対象となる。故障診断は上述の例と同様にテストデータ確認部２１０で行われる。
【００６７】
そして、この処理を他の受信アンテナ１２、１３でも繰り返すことで全ての受信アンテナ１１〜１３に対する故障診断を行い得る。
【００６８】
本例では、全ての受信アンテナ１１〜１３の故障診断を行い得るとともに、送信アンテナ１５を削減することでコスト削減を図ることができる。
【００６９】
図１〜図５に示した例では、いずれも受信アンテナ１１〜１３を、ＤＴＶ放送やＡＭ放送、ＦＭ放送を受信する受信アンテナとして説明した。勿論、これら以外にも、デジタルラジオや他のデジタル音声を受信するための受信アンテナを別途設けて、かかる放送受信コンテンツも視聴することができる。その場合でも、受信信号切替部２１１や送信信号切替部２８の入力端を増やす等して、上述の例と同様にいずれか一つ選択するように切り替えれば全く同様の作用効果を奏する。
【００７０】
尚、図１〜図５に示す統合受信システム１では、以下に示す他の作用効果を奏する。即ち、統合チューナモジュール２０はアンテナ１１〜１３、１５の近傍に位置している。従って、アンテナ１１〜１３、１５からの信号線を短くすることができ、信号線に発生するパルス雑音や高周波雑音の影響を小さくすることができる。また、信号線が短いため、信号線の損失減少による受信感度の向上を図ることもできる。更に、かかる信号線の配線スペースを小さくすることも可能である。
【００７１】
また、本統合受信システム１において、統合チューナモジュール２０と統合復調モジュール３０との間をケーブル一本でシリアル信号Ｓ５により伝送しているため、各受信信号をパラレル信号として夫々ケーブル配線して伝送する場合と比較して、配線数を少なくすることができ、例えば車内の配線スペースを減らすことができる。
【００７２】
更に、本統合受信システム１において、統合復調モジュール３０を、例えば車内の任意のスペースに配置することで統合受信システム１の実装の自由度を上げることもできる。
【図面の簡単な説明】
【００７３】
【図１】本発明に係る統合受信システムの構成例を示す図である。
【図２】統合ＲＦの構成例を示す図である。
【図３】統合ＲＦの他の構成例を示す図である。
【図４】統合受信システムの他の構成例を示す図である。
【図５】統合チューナモジュールの構成例を示す図である。
【符号の説明】
【００７４】
１：統合受信システム、１１：ＤＴＶ用受信アンテナ、１２：ＡＭ用受信アンテナ、１３：ＦＭ用受信アンテナ、１５：送信アンテナ、２０：統合チューナモジュール、２１：統合ＲＦ、２２：送信側統合伝送部、２５：テストデータ送信部、２６：送信信号切替部、２８：送信信号切替部、３０：統合復調モジュール、３２：受信側統合伝送部、３３：統合復調部、２１０（２１０−１〜２１０−３）：テストデータ確認部（故障診断部）、２１１：受信信号切替部、２１２（２１２−１〜２１２−３）：センサ、２１３（２１３−１〜２１３−３）：比較器、２１４（２１４−１〜２１４−３）：基準レベル格納部、２１５：メモリ、２２１〜２２３：高周波増幅部、２３１〜２３３：周波数変換部、Ｓ５：シリアル信号、Ｓ８：テストデータ
【図１】
2007288257.tif 000003
【図２】
2007288257.tif 000004
【図３】
2007288257.tif 000005
【図４】
2007288257.tif 000006
【図５】
2007288257.tif 000007